(57)【特許請求の範囲】
【請求項１】
タイルが建物の外壁に設けられるタイル取着構造において、上下に相隣るタイル間で、上位に設けられるタイルの下端部が、下位に設けられるタイルの上端部の裏面側に重ね配置されており、
前記タイルが取着される外壁下地材に防水層が形成されており、
外壁に吹き付けた雨水が、上位のタイルの表面から下位のタイルの裏面側へと伝わり流れるようになっていることを特徴とするタイル取着構造。
【請求項２】
上記タイルが基板に取着され、基板側に係止部と衝合部を設け、係止部はタイルの一端側でその裏面に備えてあるアリ溝部の溝側面に係止し、衝合部はタイルの他端側の裏面に弾発的に衝合するように構成され、
タイルは一端側でそのアリ溝部の溝側面を基板側の係止部に係止せしめられるとともに、該タイルの他端側で基板側の衝合部に衝合して反基板方向に弾発される他端部を、相隣る他のタイルの一端側でそのアリ溝部の溝側面を基板側の他の係止部に係止せしめられた一端部で保持せしめられてなることを特徴とする請求項１記載のタイル取着構造。
【請求項３】
前記基板が金属パネルからなり、前記係止部と衝合部が該金属パネルに切欠形成されてなる請求項２記載のタイル取着構造。
【請求項４】
上記タイルが基板に取着され、基板側に第１係止部と第２係止部を設け、第１係止部はタイルの一端側でその裏面に備えてあるアリ溝部の相対する溝側面のうちの一方の溝側面に係止し、第２係止部はタイルの他端側でその裏面のアリ溝部の他方の溝側面に係止するように弾発的に撓み変形するように構成され、
タイルは一端側でそのアリ溝部の一方の溝側面を基板側の第１係止部に係止せしめられるとともに、該タイルの他端側を基板側の第２係止部に押付けて第２係止部を弾発的に撓み変形させることにより、そのアリ溝部の他方の溝側面を第２係止部に係止せしめられてなることを特徴とする請求項１記載のタイル取着構造。
【発明の詳細な説明】
【０００１】
【発明の属する技術分野】
本発明はタイル取着構造に関する。
【０００２】
【従来の技術】
従来、建物の外壁に設けられるタイル取着構造として、特開平５−３９６５７号公報に記載のものがある。
【０００３】
この従来技術では、上下に相隣るタイル間で、上位に設けられるタイルの下端部を、下位に設けられるタイルの上端部の表面側に重ね配置している。
【０００４】
また、この従来技術では、タイルの裏面に備えたアリ溝を基板の凸条部に取着するに際し、タイルのアリ溝の一方の溝側面に沿わせる弾性金具をタイル取着部品として用いるものとし、タイルのアリ溝と基板の凸条部との間に弾性金具を弾発的に挟むことにてタイルを取着することとしている。
【０００５】
【発明が解決使用とする課題】
しかしながら、従来技術には以下の問題点がある。
（１）建物の外壁に設けられる上位のタイルの下端部が下位のタイルの上端部の表面側に重ね配置されているから、外壁に吹き付けた雨水が、上位のタイルの表面から下位のタイルの表面に伝わり流れる。即ち、タイルの表面が雨水の流路となり、タイルの表面が汚れ易くなる。
【０００６】
（２）タイルのアリ溝と基板の凸条部との間に弾発的に挟まれる弾性金具をタイル取着部品として用いるものであり、タイル取着構造が複雑となり、タイル取着作業性も悪い。
【０００７】
本発明の課題は、タイル取着構造において、雨水の流れによるタイル表面の汚れを低減することにある。
【０００８】
また、本発明の課題は、タイル取着構造を簡素にし、タイル取着作業性も簡易にすることにある。
【０００９】
【課題を解決するための手段】
タイルが建物の外壁に設けられるタイル取着構造において、上下に相隣るタイル間で、上位に設けられるタイルの下端部が、下位に設けられるタイルの上端部の裏面側に重ね配置されており、前記タイルが取着される外壁下地材に防水層が形成されており、外壁に吹き付けた雨水が、上位のタイルの表面から下位のタイルの裏面側へと伝わり流れるようになっていることことを特徴とする。
【００１０】
請求項２に記載の本発明は、請求項１記載のタイル取着構造であって、タイルを基板に取着するタイル取着構造において、基板側に係止部と衝合部を設け、係止部はタイルの一端側でその裏面に備えてあるアリ溝部の溝側面に係止し、衝合部はタイルの他端側の裏面に弾発的に衝合するように構成され、タイルは一端側でそのアリ溝部の溝側面を基板側の係止部に係止せしめられるとともに、該タイルの他端側で基板側の衝合部に衝合して反基板方向に弾発される他端部を、相隣る他のタイルの一端側でそのアリ溝部の溝側面を基板側の他の係止部に係止せしめられた一端部で保持せしめられてなるようにしたものである。
【００１１】
請求項３に記載の本発明は、請求項２に記載の本発明において更に、前記基板が金属パネルからなり、前記係止部と衝合部が該金属パネルに切欠形成されてなるようにしたものである。
【００１２】
請求項４に記載の本発明は、請求項１記載のタイル取着構造であって、タイルを基板に取着するタイル取着構造において、基板側に第１係止部と第２係止部を設け、第１係止部はタイルの一端側でその裏面に備えてあるアリ溝部の相対する溝側面のうちの一方の溝側面に係止し、第２係止部はタイルの他端側でその裏面のアリ溝部の他方の溝側面に係止するように弾発的に撓み変形するように構成され、タイルは一端側でそのアリ溝部の一方の溝側面を基板側の第１係止部に係止せしめられるとともに、該タイルの他端側を基板側の第２係止部に押し付けて第２係止部を弾発的に撓み変形させることにより、そのアリ溝部の他方の溝側面を第２係止部に係止せしめられてなるようにしたものである。
【００１３】
【作用】
請求項１の本発明によれば下記（１）、（２）の作用がある。
（１）物の外壁に設けられる上位のタイルの下端部が下位のタイルの上端部の裏面側に重ね配置されているから、外壁に吹き付けた雨水は、上位のタイルの表面から下位のタイルの裏面側へと伝わり流れる。即ち、雨水はタイルの裏面側を流れるものとなり、タイルの表面の汚れを低減できる。
【００１４】
（２）タイルが取着される外壁下地材に防水層が形成されているから、雨水が上記（１）によりタイルの裏面側を流れても、建物に害を及ぼさない。
【００１５】
請求項２の本発明によれば下記（３）の作用がある。
（３）タイルの一端側の裏面のアリ溝部の溝側面を基板側の係止部に係止し、他端側の裏面を基板側の衝合部に衝合させるだけのタイル取着作業を、相隣るタイル毎に繰り返すことにより、それらのタイルを基板に取着できるものとなる。即ち、タイルは一端側でそのアリ溝部の溝側面を基板側の係止部に係止せしめられるとともに、該タイルの他端側で基板側の衝合部に衝合して反基板方向に弾発される他端部を相隣る他のタイルの一端側でそのアリ溝部の溝側面を基板側の他の係止部に係止せしめられた一端部で保持せしめられる。このタイル取着構造では、基板側に係止部と衝合部を設けておくだけで足り、他のタイル取着部品を必要としないから、タイル取着構造を簡素にし、タイル取着作業性も簡易となる。
【００１６】
請求項３の本発明によれば下記（４）の作用がある。
（４）上記（３）の係止部と衝合部は、基板を構成する金属パネルに切欠形成にて設けることができ、タイル取着構造をより簡素にできる。
【００１７】
請求項４の本発明によれば下記（５）の作用がある。
（５）タイルの裏面のアリ溝部の一方の溝側面を基板側の第１係止部に係止させ、そのアリ溝部の他方の溝側面を、基板側の第２係止部の弾発的な撓み変形を経て該第２係止部に係止させるだけのタイル取着作業により、タイルを基板に取着できる。このタイル取着構造では、基板側に第１係止部と第２係止部を設けておくだけで足り、他のタイル取着部品を必要としないから、タイル取着構造を簡素にし、タイル取着作業性も簡易となる。
【００１８】
【発明の実施の形態】
図１は第１実施形態のタイル取着構造を示す模式図、図２は第１実施形態のタイル取着状態を示す模式図、図３は第２実施形態のタイル取着構造を示す模式図、図４は第２実施形態のタイル取着状態を示す模式図、図５は第２実施形態の変形例（参考例）を示す模式図である。
【００１９】
（第１実施形態）（図１、図２）
第１実施形態は、建物１０の外壁１１にタイル２０を設けるものである（図２）。このとき、タイル２０は、図１、図２に示す如く、アリ溝部２１（溝の開口幅が狭く、溝の奥幅が広くなるように溝側面２１Ａ、２１Ｂが傾斜状をなしている溝）を裏面に備えている。
【００２０】
しかるに、建物１０の外壁下地材１２には防水層１３が設けられ、この防水層１３の上に金属パネルからなる基板１４が固定される。基板１４は、ステンレス鋼板等からなり、上下方向に一定の間隔をなして、係止部１５と衝合部１６を切欠形成してある（図１（Ａ））。係止部１５は、上向きの舌片状をなし、タイル２０の一端側でその裏面に備えてあるアリ溝部２１の溝側面２１Ａに係止する。衝合部１６は、下向きの舌片状をなし、タイル２０の他端側の裏面に弾発的に衝合する。
【００２１】
タイル２０は、基板１４の係止部１５、衝合部１６を用いて下記(1) 、(2) の如くに取着される（図１（Ｂ））。
(1) タイル２０は一端側で、そのアリ溝部２１の溝側面２１Ａを基板１４の係止部１５に上側から引っ掛けるように係止する。
【００２２】
(2) タイル２０の他端側で、基板１４の衝合部１６に衝合して反基板方向に弾発される下端部２０Ｂを、下位にて相隣る他のタイル２０の一端側でそのアリ溝部２１の溝側面２１Ａを基板１４の他の係止部１５に係止せしめられた上端部２０Ａで上から押えて保持する。
【００２３】
即ち、本実施形態のタイル２０により構成される外壁１１にあっては、図２に示す如く、上下に相隣るタイル２０、２０間で、上位に設けられるタイル２０の下端部２０Ｂが、下位に設けられるタイル２０の上端部２０Ａの裏面側に重ね配置されるものとなる。
【００２４】
従って、本実施形態によれば、以下の作用がある。
（１）建物１０の外壁１１に設けられる上位のタイル２０の下端部２０Ｂが下位のタイル２０の上端部２０Ａの裏面側に重ね配置されているから、外壁１１に吹き付けた雨水は、上位のタイル２０の表面から下位のタイル２０の裏面側へと伝わり流れる。即ち、雨水はタイル２０の裏面側を流れるものとなり、タイル２０の表面の汚れを低減できる。
【００２５】
（２）タイル２０が取着される外壁下地材１２に防水層が形成されているから、雨水が上記（１）によりタイル２０の裏面側を流れても、建物１０に害を及ぼさない。
【００２６】
（３）タイル２０の一端側の裏面のアリ溝部２１の溝側面２１Ａを基板１４側の係止部１５に係止し、他端側の裏面を基板１４側の衝合部１６に衝合させるだけのタイル２０取着作業を、相隣るタイル２０毎に繰り返すことにより、それらのタイル２０を基板１４に取着できるものとなる。即ち、タイル２０は一端側でそのアリ溝部２１の溝側面２１Ａを基板１４側の係止部１５に係止せしめられるとともに、該タイル２０の他端側で基板１４側の衝合部１６に衝合して反基板１４方向に弾発される他端部を相隣る他のタイル２０の一端側でそのアリ溝部２１の溝側面２１Ａを基板１４側の他の係止部１５に係止せしめられた一端部で保持せしめられる。このタイル取着構造では、基板１４側に係止部１５と衝合部１６を設けておくだけで足り、他のタイル取着部品を必要としないから、タイル取着構造を簡素にし、タイル取着作業性も簡易となる。
【００２７】
（４）記（３）の係止部１５と衝合部１６は、基板１４を構成する金属パネルに切欠形成にて設けることができ、タイル取着構造をより簡素にできる。
【００２８】
（５）タイル２０が金属パネルからなる基板１４に設けた係止部１５、衝合部１６に取着されるものであり、外壁下地材１２に接着固定されるものでないから、建物躯体側との層間変位に対応できる。また、タイル２０の目地調整等の専門工も不要となる。
【００２９】
（第２実施形態）（図３、図４）
第２実施形態は、建物３０の外壁３１にタイル４０を設けるものである（図４）。このとき、タイル４０は、図３、図４に示す如く、アリ溝部４１（溝の開口幅が狭く、溝の奥幅が広くなるように溝側面４１Ａ、４１Ｂが傾斜状をなしている溝）を裏面に備えている。
【００３０】
しかるに、建物３０の外壁下地材３２には防水層３３が設けられ、この防水層３３の上に、金属パネルからなる基板３４が固定される。基板３４は、ステンレス鋼板等からなり、上下方向に一定の間隔をなして穿設されている取着孔３４Ａに、金属プレートからなる係止部材３５を、リベット３６により固定して用いられる。係止部材３５は、ステンレス鋼板等からなり、第１係止部３５Ａと第２係止部３５Ｂが曲げ成形されている（図３（Ａ）、（Ｂ））。第１係止部３５Ａは、タイル４０の一端側で、その裏面に備えてあるアリ溝部４１の相対する溝側面のうちの一方の溝側面４１Ａに係止する。第２係止部３５Ｂは、タイル４０の他端側で、その裏面側のアリ溝部４１の他方の溝側面４１Ｂに係止するように弾発的に撓み変形できる。
【００３１】
タイル４０は、係止部材３５の第１係止部３５Ａ、第２係止部３５Ｂを用いて下記(1) 、(2) の如くに取着される（図３（Ｂ））。
（１）タイル４０は一端側で、そのアリ溝部４１の一方の溝側面４１Ａを、基板３４の側の係止部材３５の第１係止部３５Ａに係止せしめられる。
【００３２】
（２）タイル４０の他端側を、基板３４の側の係止部材３５の第２係止部３５Ｂに押し付けて該第２係止部３５Ｂを弾発的に撓み変形させることにより、そのアリ溝部４１の他方の溝側面４１Ｂを第２係止部３５Ｂに係止せしめる。
【００３３】
このとき、本発明のタイル４０により構成される外壁３１にあっては、図４に示す如く、上下に相隣るタイル４０、４０間で、上位に設けられるタイル４０の下端部４０Ｂが、下位に設けられるタイル４０の上端部４０Ａの裏面側に重ね配置されるものである。
【００３４】
従って、本実施形態によれば、以下の作用がある。
（１）建物３０の外壁３１に設けられる上位のタイル４０の下端部４０Ｂが下位のタイル４０の上端部４０Ａの裏面側に重ね配置されているから、外壁３１に吹き付けた雨水は、上位のタイル４０の表面から下位のタイル４０の裏面側へと伝わり流れる。即ち、雨水はタイル４０の裏面側を流れるものとなり、タイル４０の表面の汚れを低減できる。
【００３５】
（２）タイル４０が取着される外壁下地材３２に防水層３３が形成されているから、雨水が上記（１）によりタイル４０の裏面側を流れても、建物３０に害を及ぼさない。
【００３６】
（３）イル４０の裏面のアリ溝部４１の一方の溝側面４１Ａを基板３４側の第１係止部３５Ａに係止させ、そのアリ溝部４１の他方の溝側面４１Ｂを、基板３４側の第２係止部３５Ｂの弾発的な撓み変形を経て該第２係止部３５Ｂに係止させるだけのタイル取着作業により、タイル４０を基板３４に取着できる。このタイル取着構造では、基板３４側に第１係止部３５Ａと第２係止部３５Ｂを設けておくだけで足り、他のタイル取着部品を必要としないから、タイル取着構造を簡素にし、タイル取着作業性も簡易となる。
【００３７】
（４）タイル４０が金属パネルからなる基板３４に備えた係止部材３５に取着されるものであり、外壁下地材３２に接着固定されるものでないから、建物躯体側との層間変位に対応できる。また、タイル４０の目地調整等の専門工も不要となる。
【００３８】
尚、第２実施形態にあっては、基板３４の係止部材３５に対するタイル４０の取着姿勢を、図５に示す如く、図３、図４に対する上下逆方向としても良い。（参考例）即ち、基板３４の係止部材３５に取着されて上下に相隣るタイル４０、４０間で、上位に設けられるタイル４０の下端部が、下位に設けられるタイル４０の上端部の表面側に重ね配置されるものであっても良い。（参考例）
【００３９】
以上、本発明の実施の形態を図面により詳述したが、本発明の具体的な構成はこの実施の形態に限られるものではなく、本発明の要旨を逸脱しない範囲の設計の変更等があっても本発明に含まれる。例えば、本発明のタイル取着構造は、タイルを基本的には接着剤を用いない乾式工法により取着するものであるが、このタイルの取着に一部接着剤を併用することもできる。
【００４０】
【発明の効果】
以上のように本発明によれば、タイル取着構造において、雨水の流れによるタイル表面の汚れを低減することができる。
【００４１】
また、本発明によれば、タイル取着構造を簡素にし、タイル取着作業性も簡易にすることができる。
【図面の簡単な説明】
【図１】図１は第１実施形態のタイル取着構造を示す模式図である。
【図２】図２は第１実施形態のタイル取着状態を示す模式図である。
【図３】図３は第２実施形態のタイル取着構造を示す模式図である。
【図４】図４は第２実施形態のタイル取着状態を示す模式図である。
【図５】図５は第２実施形態の変形例を示す模式図である。
【符号の説明】
１０、３０  建物
１１、３１  外壁
１２、３２  外壁下地材
１３、３３  防水層
１４、３４  基板
１５  係止部
１６  衝合部
２０、４０  タイル
２０Ａ、４０Ａ  上端部
２０Ｂ、４０Ｂ  下端部
２１、４１  アリ溝部
２１Ａ、２１Ｂ、４１Ａ、４１Ｂ  溝側面
３５  係止部材
３５Ａ  第１係止部
３５Ｂ  第２係止部
【図１】
0003652114.tif 000002
【図２】
0003652114.tif 000003
【図３】
0003652114.tif 000004
【図４】
0003652114.tif 000005
【図５】
0003652114.tif 000006